(57)【要約】【課題】広帯域通信ネットワークと狭帯域通信ネットワークとの双方を介して情報を送信する場合に効率の良い情報送信を可能とする情報送信システムを提供する。【解決手段】情報送信システム１０は、情報配信サーバ１２と移動機１４とプロキシサーバ１６とを備えている。情報配信サーバ１２とプロキシサーバ１６とは広帯域通信ネットワークＮ１を介して接続され、移動機１４とプロキシサーバ１６とは狭帯域通信ネットワークＮ２を介して接続されている。情報配信サーバ１２は、プロキシサーバ１６を介して移動機１４に情報を送信するサーバであり、移動機１４に対する情報の送信開始からの時間を計時するタイマ１８と、タイマ１８によって計時された時間が所定の基準時間を越えても情報の送信が終了しない場合に当該情報の送信を終了して移動機１４との間に張られた通信路を切断する切断制御部２０とを備える。【選択図】  図１
2005033367.tif 000002
【特許請求の範囲】
【請求項１】
サーバと、第１の通信ネットワークを介して前記サーバと接続された中継装置と、前記第１の通信ネットワークと比較して通信帯域の狭い第２の通信ネットワークを介して前記中継装置と接続された端末装置とを備え、前記サーバから前記中継装置を介して前記端末装置に対して情報を送信する情報送信システムに用いられる前記サーバであって、
前記端末装置に対する前記情報の送信開始からの時間を計時する第１の計時手段と、
前記第１の計時手段によって計時された時間が第１の基準時間を越えても前記情報の送信が終了しない場合に前記情報の送信を終了して前記端末装置とのあいだに張られた通信路を切断する第１の制御手段とを備えたことを特徴とするサーバ。
【請求項２】
前記第１の制御手段は、前記情報のサイズまたは種別に応じて、前記第１の基準時間を決定することを特徴とする請求項１に記載のサーバ。
【請求項３】
サーバと、第１の通信ネットワークを介して前記サーバと接続された中継装置と、前記第１の通信ネットワークと比較して通信帯域の狭い第２の通信ネットワークを介して前記中継装置と接続された端末装置とを備え、前記サーバから前記中継装置を介して前記端末装置に対して情報を送信する情報送信システムに用いられる前記サーバであって、
前記端末装置に対する前記情報の送信中において送信が一時的に中断してからの時間を計時する第２の計時手段と、
前記第２の計時手段によって計時された時間が第２の基準時間を越えても前記情報の送信が再開されない場合に前記情報の送信を終了して前記端末装置とのあいだに張られた通信路を切断する第２の制御手段とを備えたことを特徴とするサーバ。
【請求項４】
前記第２の制御手段は、前記情報のサイズまたは種別に応じて、前記第２の基準時間を決定することを特徴とする請求項３に記載のサーバ。
【請求項５】
サーバと、
第１の通信ネットワークを介して前記サーバと接続された中継装置と、
前記第１の通信ネットワークと比較して通信帯域の狭い第２の通信ネットワークを介して前記中継装置と接続された端末装置とを備え、
前記サーバから前記中継装置を介して前記端末装置に対して情報を送信する情報送信システムであって、
前記中継装置は、前記サーバから送信された前記情報を一時的に格納する格納手段を有し、
前記サーバから前記中継装置に対して前記情報を送信する際のフロー制御及び再送制御と、前記中継装置から前記端末装置に対して前記情報を送信する際のフロー制御及び再送制御とを別々に行うことを特徴とする情報送信システム。
【発明の詳細な説明】
【０００１】
【発明の属する技術分野】
本発明は、サーバ及び情報送信システムに関するものである。
【０００２】
【従来の技術】
近年、ＰＤＣ−Ｐ（Ｐｅｒｓｏｎａｌ  Ｄｉｇｉｔａｌ  Ｃｅｌｌｕｌａｒ−Ｐａｃｋｅｔ）やＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）などの移動体通信システムの発達に伴い、これらの移動体通信システムで用いられる移動機の高機能化が進んでいる。このような移動機の高機能化に伴い、インターネットなど他の通信網に接続されている情報配信サーバから移動体通信網に接続されている移動機に対して、文字情報、音声情報、静止画像情報、動画像情報など種々の情報を送信する情報送信システムが実現するようになった。
【０００３】
図３は、上述の情報送信システムの構成図である。情報通信システム１は、情報の送信元となる情報配信サーバ２と、情報配信サーバ２から送信される情報を受信する移動機４と、情報配信サーバ２から移動機４への情報の送信を中継するプロキシサーバ６とを備えて構成される。情報配信サーバ２とプロキシサーバ６とは、インターネット、ＬＡＮ網、専用線網などの広帯域通信ネットワークＮ１を介して接続されている。一方、移動機４とプロキシサーバ６とは、移動体通信網などの狭帯域通信ネットワークＮ２を介して接続されている。
【０００４】
このような情報送信システム１において、移動機４が情報配信サーバ２に情報の送信を要求する場合、移動機４は、プロキシサーバ６を介して、情報送信要求を情報配信サーバ２に送信する。また、このような情報送信要求に応えて情報配信サーバ２が移動機４に情報を送信する場合、情報配信サーバ２は、プロキシサーバ６を介して、情報を移動機４に送信する。
【０００５】
このような情報送信システム１を用いて情報配信サーバ２が移動機４に情報を送信する場合、特に、動画像情報などの大容量のデータを送信する場合、移動機４の処理能力の制限から、移動機４において受信データの処理が間に合わなくなることがある。このような場合、情報の送信側の情報配信サーバ２と情報の受信側の移動機４との間でフロー制御が行われ（具体的には、例えば移動機４から情報配信サーバ２に対して情報送信の中断／再開指示が送信され、これに応じて情報配信サーバ２において情報送信の中断／再開が行われる）、情報配信サーバ２から移動機４への情報の送信速度が制御される。また、情報配信サーバ２と移動機４との間でパケットの欠損が生じた場合は、情報配信サーバ２から移動機４に対してパケットの再送制御が行われる。
【０００６】
【発明が解決しようとする課題】
しかし、上記従来技術にかかる情報送信システム１には、以下に示すような問題点があった。
【０００７】
まず、情報配信サーバ２から広帯域通信ネットワークＮ１と狭帯域通信ネットワークＮ２とを介して移動機４に情報を送信する情報送信システム１においては、広帯域通信ネットワークＮ１と比較して狭帯域通信ネットワークＮ２において大きな伝送遅延が生ずること、狭帯域通信ネットワークＮ２に接続される移動機４は通常大容量データの処理能力に制限があり処理遅延が生ずることなどが原因となり、情報配信サーバ２の処理能力や広帯域通信ネットワークＮ１の伝送容量には十分余裕があるにもかかわらず、移動機４と情報配信サーバ２との間で頻繁にフロー制御や再送制御が行われる。このようなフロー制御や再送制御の頻発は、送信待機データを情報配信サーバ２に滞留させることによって情報配信サーバ２のメモリを圧迫し、再送制御や送信中断／再開制御の回数を増加させることによって情報配信サーバ２のＣＰＵ負荷を増大させる。
【０００８】
また、情報配信サーバ２から広帯域通信ネットワークＮ１と狭帯域通信ネットワークＮ２とを介して移動機４に情報を送信する情報送信システム１において、データパケットの欠損や伝送遅延、処理遅延は、狭帯域通信ネットワークＮ２及び狭帯域通信ネットワークＮ２に接続される移動機４において発生することが多い。しかしながら、フロー制御や再送制御は、広帯域通信ネットワークＮ１と狭帯域通信ネットワークＮ２との双方を介して情報配信サーバ２と移動機４との間で行われており、ネットワークリソースが無駄に使用されている。
【０００９】
上述の如く、上記従来技術にかかる情報送信システム１は、情報配信サーバ２の負荷を増加させ、また、ネットワークリソースを無駄に使用しており、広帯域通信ネットワークＮ１と狭帯域通信ネットワークＮ２との双方を介して情報を送信する場合に効率の良い情報送信ができないという問題点があった。
【００１０】
そこで本発明は、上記問題点を解決し、広帯域通信ネットワークと狭帯域通信ネットワークとの双方を介して情報を送信する場合に効率の良い情報送信を可能とするサーバ及び情報送信システムを提供することを課題とする。
【００１１】
【課題を解決するための手段】
上記課題を解決するために、本発明のサーバは、サーバと、第１の通信ネットワークを介して上記サーバと接続された中継装置と、上記第１の通信ネットワークと比較して通信帯域の狭い第２の通信ネットワークを介して上記中継装置と接続された端末装置とを備え、上記サーバから上記中継装置を介して上記端末装置に対して情報を送信する情報送信システムに用いられる上記サーバであって、上記端末装置に対する上記情報の送信開始からの時間を計時する第１の計時手段と、上記第１の計時手段によって計時された時間が第１の基準時間を越えても上記情報の送信が終了しない場合に上記情報の送信を終了して上記端末装置とのあいだに張られた通信路を切断する第１の制御手段とを備えたことを特徴としている。
【００１２】
情報の送信開始からの時間を計時し、計時された時間が基準時間を越えても情報の送信が終了しない場合に情報の送信を終了して端末装置とのあいだに張られた通信路を切断することで、サーバにいつまでも再送制御やフロー制御の負担を負わせておくことを防止でき、サーバの負荷を軽減することができる。
【００１３】
また、上記本発明のサーバにおいては、上記第１の制御手段は、上記情報のサイズまたは種別に応じて、上記第１の基準時間を決定することを特徴とすることが好適である。
【００１４】
情報のサイズまたは種別に応じて上記基準時間を決定することで、情報のサイズまたは種別に応じた適切な基準時間の設定が可能となる。
【００１５】
また、上記課題を解決するために、本発明のサーバは、サーバと、第１の通信ネットワークを介して上記サーバと接続された中継装置と、上記第１の通信ネットワークと比較して通信帯域の狭い第２の通信ネットワークを介して上記中継装置と接続された端末装置とを備え、上記サーバから上記中継装置を介して上記端末装置に対して情報を送信する情報送信システムに用いられる上記サーバであって、上記端末装置に対する上記情報の送信中において送信が一時的に中断してからの時間を計時する第２の計時手段と、上記第２の計時手段によって計時された時間が第２の基準時間を越えても上記情報の送信が再開されない場合に上記情報の送信を終了して上記端末装置とのあいだに張られた通信路を切断する第２の制御手段とを備えたことを特徴としている。
【００１６】
端末装置に対する情報の送信中において送信が一時的に中断してからの時間を計時し、計時された時間が基準時間を越えても情報の送信が再開されない場合に情報の送信を終了して端末装置とのあいだに張られた通信路を切断することで、サーバにいつまでも再送制御やフロー制御の負担を負わせておくことを防止でき、サーバの負荷を軽減することができる。
【００１７】
また、上記本発明のサーバにおいては、上記第２の制御手段は、上記情報のサイズまたは種別に応じて、上記第２の基準時間を決定することを特徴とすることが好適である。
【００１８】
情報のサイズまたは種別に応じて上記基準時間を決定することで、情報のサイズまたは種別に応じた適切な基準時間の設定が可能となる。
【００１９】
また、上記課題を解決するために、本発明の情報送信システムは、サーバと、第１の通信ネットワークを介して上記サーバと接続された中継装置と、上記第１の通信ネットワークと比較して通信帯域の狭い第２の通信ネットワークを介して上記中継装置と接続された端末装置とを備え、上記サーバから上記中継装置を介して上記端末装置に対して情報を送信する情報送信システムであって、上記中継装置は、上記サーバから送信された上記情報を一時的に格納する格納手段を有し、上記サーバから上記中継装置に対して上記情報を送信する際のフロー制御及び再送制御と、上記中継装置から上記端末装置に対して上記情報を送信する際のフロー制御及び再送制御とを別々に行うことを特徴としている。
【００２０】
サーバから送信された情報を一時的に格納する格納手段を中継装置に設け、サーバから中継装置に対して情報を送信する際のフロー制御及び再送制御と、中継装置から端末装置に対して情報を送信する際のフロー制御及び再送制御とを別々に行うことで、通信帯域が互いに異なる２つの通信ネットワークを介して接続されるサーバと端末装置との間でフロー制御及び再送制御を行う必要が無くなる。すなわち、必要に応じて、サーバと中継装置との間、中継装置と端末装置との間でフロー制御及び再送制御を行うことができ、ネットワークリソースを有効に利用することができる。
【００２１】
【発明の実施の形態】
まず、本発明の第１の実施形態にかかる情報送信システムについて図面を参照して説明する。
【００２２】
まず、本実施形態にかかる情報送信システムの構成について説明する。図１は、本実施形態にかかる情報送信システムの構成図である。本実施形態にかかる情報送信システム１０は、情報の送信元となる情報配信サーバ１２（サーバ）と、情報配信サーバ１２から送信される情報を受信する移動機１４（端末装置）と、情報配信サーバ１２から移動機１４への情報の送信を中継するプロキシサーバ１６（中継装置）とを備えて構成される。情報配信サーバ１２とプロキシサーバ１６とは、インターネット、ＬＡＮ網、専用線網などの広帯域通信ネットワークＮ１（第１の通信ネットワーク）を介して接続されている。一方、移動機１２とプロキシサーバ１４とは、移動体通信網などの狭帯域通信ネットワークＮ２（第１の通信ネットワークと比較して通信帯域の狭い第２の通信ネットワーク）を介して接続されている。
【００２３】
情報配信サーバ１２は、移動機１４からプロキシサーバ１６を介して送信される情報送信要求に応じ、プロキシサーバ１６を介して移動機１４に情報を送信するサーバであるが、特に、下記に示すようなタイマ１８（第１の計時手段）と切断制御部２０（第１の制御手段）とを有している。
【００２４】
タイマ１８は、移動機１４に対する情報の送信開始からの時間を計時する。ここで、「送信開始」とは、厳密に言えば、情報配信サーバ１２が情報送信要求に応じて実際に情報の送信を開始したタイミングであるが、情報配信サーバ１２が情報送信要求を受信したタイミングを実質的な送信処理開始のトリガととらえ、このタイミングを「送信開始」と考えて計時を行っても良い。
【００２５】
切断制御部２０は、タイマ１８によって計時された時間が所定の基準時間（第１の基準時間）を越えても、移動機１４に送信すべき情報の送信が終了しない場合に当該情報の送信を終了して移動機１４とのあいだに張られた通信路を切断する。より簡単に言えば、切断制御部２０は、上記基準時間のタイムアウトによって移動機１４とのあいだに張られた通信路を切断する。ここで、上記基準時間は一定時間であってもよいし、移動機１４に送信すべき情報のサイズまたは種別に応じて、切断制御部２０が上記基準時間を決定するようにしてもよい。情報のサイズに応じて上記基準時間を決定する場合、切断制御部２０は、例えば、データサイズが３００ＫＢ以下のコンテンツ（情報）を移動機１４に送信する場合は、切断までの上記基準時間を１０秒とし、データサイズが３００ＫＢを越えるコンテンツ（情報）を移動機１４に送信する場合は、切断までの上記基準時間を７０２秒とする。同様に、情報の種別に応じて上記基準時間を決定する場合、切断制御部２０は、例えば、ＨＴＭＬファイルを移動機１４に送信する場合は、切断までの上記基準時間を１０秒とし、動画像ファイルを移動機１４に送信する場合は、切断までの上記基準時間を７０２秒とする。なお、切断制御部２０は、移動機１４に送信すべき情報のサイズと種別との双方に応じて上記基準時間を決定してもよい。
【００２６】
続いて、本実施形態にかかる情報送信システムの動作について説明する。情報送信システム１０において、移動機１４が情報配信サーバ１２に対して情報の送信を要求する場合、まず、移動機１４から狭帯域通信ネットワークＮ２を介してプロキシサーバ１６に情報送信要求が送信される。プロキシサーバ１６によって情報送信要求が受信されると、情報送信要求は、プロキシサーバ１６から広帯域通信ネットワークＮ１を介して情報配信サーバ１２に送信される。
【００２７】
情報配信サーバ１２によって情報配信要求が受信されると、当該情報配信要求に応じた情報が、情報配信サーバ１２から広帯域通信ネットワークＮ１を介してプロキシサーバ１６に送信され、さらに、プロキシサーバ１６から狭帯域通信ネットワークＮ２を介して移動機１４に送信される。
【００２８】
情報配信サーバ１２から移動機１４への情報の送信中には、情報配信サーバ１２と移動機１４との間で、適宜、フロー制御及び欠損パケットの再送制御が行われる。
【００２９】
また、情報配信サーバ１２によって情報配信要求が受信され、情報配信サーバ１２から移動機１４への情報の送信が開始されると同時に、情報配信サーバ１２のタイマ１８による計時が開始される。
【００３０】
タイマ１８によって計時された時間が基準時間を越える前に、移動機１４に送信すべき情報の送信が終了した場合、タイマ１８はリセットされる。一方、例えばフロー制御によって送信速度が低下したり、パケット欠損が多発して再送制御が繰り返されたりした結果、タイマ１８によって計時された時間が基準時間を越えても情報の送信が終了しなかった場合、切断制御部２０により、基準時間が経過した時点で情報配信サーバ１２と移動機１４とのあいだに張られた通信路が切断される。
【００３１】
続いて、本実施形態にかかる情報送信システムの作用及び効果について説明する。本実施形態にかかる情報送信システム１０は、情報配信サーバ１２から移動機１４に対する情報の送信開始からの時間を情報配信サーバ１２のタイマ１８で計時し、計時された時間が基準時間を越えても情報の送信が終了しない場合に情報の送信を終了し、情報配信サーバ１２の切断制御部２０によって情報配信サーバ１２と移動機１４とのあいだに張られた通信路を切断する。従って、情報配信サーバ１２にいつまでも再送制御やフロー制御の負担（より具体的には、送信待機データの滞留によるメモリの圧迫、再送制御や送信中断／再開制御の頻発によるＣＰＵ負荷など）を負わせておくことが防止でき、情報配信サーバ１２の負荷を軽減することができる。その結果、広帯域通信ネットワークＮ１と狭帯域通信ネットワークＮ２との双方を介して情報を送信する場合に効率の良い情報送信が可能となる。
【００３２】
また、本実施形態にかかる情報送信システム１０においては、情報配信サーバ１２の切断制御部２０が、移動機１４に送信すべき情報のサイズまたは種別に応じて通信路切断までの上記基準時間を決定するような構成とすれば、情報のサイズまたは種別に応じた適切な基準時間の設定が可能となる。
【００３３】
また、本実施形態にかかる情報配信システム実施形態１０には、タイマ１８が、移動機１４に対する情報の送信開始からの時間を計時し、切断制御部２０が、タイマ１８によって計時された時間が基準時間を越えても情報の送信が終了しない場合に情報の送信を終了して情報配信サーバ１２と移動機１４とのあいだに張られた通信路を切断するような構成であった。しかし、これは、タイマ１８（第２の計時手段）が、移動機１４に対する情報の送信中において送信が一時的に中断してからの時間を計時し、切断制御部２０（第２の制御手段）が、タイマ１８によって計時された時間が基準時間（第２の基準時間）を越えても情報の送信が再開されない場合に情報の送信を終了して情報配信サーバ１２と移動機１４とのあいだに張られた通信路を切断するような構成としてもよい。この場合も、上記基準時間は一定時間であってもよいし、移動機１４に送信すべき情報のサイズまたは種別に応じて、切断制御部２０が上記基準時間を決定するようにしてもよい
【００３４】
このような構成としても、情報配信サーバ１２にいつまでも再送制御やフロー制御の負担を負わせておくことが防止でき、情報配信サーバ１２の負荷を軽減することができる。その結果、広帯域通信ネットワークＮ１と狭帯域通信ネットワークＮ２との双方を介して情報を送信する場合に効率の良い情報送信が可能となる。
【００３５】
次に、本発明の第２の実施形態にかかる情報送信システムについて図面を参照して説明する。
【００３６】
まず、本実施形態にかかる情報送信システムの構成について説明する。図２は、本実施形態にかかる情報送信システムの構成図である。本実施形態にかかる情報送信システム３０も、上記第１の実施形態にかかる情報配信システム１０と同様に、情報配信サーバ３２（サーバ）と、移動機３４（端末装置）と、プロキシサーバ３６（中継装置）とを備えて構成される。情報配信サーバ３２とプロキシサーバ３６とは、インターネット、ＬＡＮ網、専用線網などの広帯域通信ネットワークＮ１（第１の通信ネットワーク）を介して接続されている。一方、移動機３２とプロキシサーバ３４とは、移動体通信網などの狭帯域通信ネットワークＮ２（第１の通信ネットワークと比較して通信帯域の狭い第２の通信ネットワーク）を介して接続されている。
【００３７】
ここで、情報配信サーバ３２は、移動機３４からプロキシサーバ３６を介して送信される情報送信要求に応じ、プロキシサーバ３６を介して移動機３４に情報を送信する。
【００３８】
また、プロキシサーバ３６は、移動機３４から情報配信サーバ３２への情報送信要求の送信を中継するとともに情報配信サーバ３２から移動機３４への情報の送信を中継する中継装置であるが、特に、情報配信サーバ３２から送信された情報を一時的に格納するバッファ３８（格納手段）を有している。
【００３９】
ここで、情報送信システム３０は、情報配信サーバ３２からプロキシサーバ３６に対して情報を送信する際のフロー制御及び再送制御と、プロキシサーバ３６から移動機３４に対して情報を送信する際のフロー制御及び再送制御とを別々に行う。
【００４０】
より具体的には、情報配信サーバ３２は、プロキシサーバ３６から送信される情報送信要求（移動機３４から送信されたもの）に応じ、移動機３４に送信すべき情報を、広帯域通信ネットワークＮ１を介してプロキシサーバ３６に送信する。プロキシサーバ３６は、情報配信サーバ３２から送信された情報を一時的にバッファ３８に格納すると共に、バッファ３８に格納された情報を、狭帯域通信ネットワークＮ２を介して移動機３４に送信する。移動機３４は、プロキシサーバ３６から送信された情報を受信する。
【００４１】
ここで、情報配信サーバ３２からプロキシサーバ３６に対して情報を送信するに際し、プロキシサーバ３６のバッファ３８が一杯になった場合、プロキシサーバ３６の受信処理負荷が過大になった場合、広帯域通信ネットワークＮ１に輻輳が生じた場合などは、情報配信サーバ３２とプロキシサーバ３６との間でフロー制御を行い、情報の送信速度を制御する。また、情報配信サーバ３２からプロキシサーバ３６に対して情報を送信するに際し、情報配信サーバ３２とプロキシサーバ３６との間の広帯域通信ネットワークＮ１においてパケット欠損が生じた場合は、情報配信サーバ３２とプロキシサーバ３６との間で欠損パケットの再送制御を行う。
【００４２】
同様に、プロキシサーバ３６から移動機３４に対して情報を送信するに際し、移動機３４のバッファ（図示せず）が一杯になった場合、移動機３４の受信処理負荷が過大になった場合、狭帯域通信ネットワークＮ２に輻輳が生じた場合などは、プロキシサーバ３６と移動機３４との間でフロー制御を行い、情報の送信速度を制御する。また、プロキシサーバ３６から移動機３４に対して情報を送信するに際し、プロキシサーバ３６と移動機３４との間の狭帯域通信ネットワークＮ２においてパケット欠損が生じた場合は、プロキシサーバ３６と移動機３４との間で欠損パケットの再送制御を行う。
【００４３】
続いて、本実施形態にかかる情報送信システムの動作について説明する。情報送信システム３０において、移動機３４が情報配信サーバ３２に対して情報の送信を要求する場合、まず、移動機３４から狭帯域通信ネットワークＮ２を介してプロキシサーバ３６に情報送信要求が送信される。プロキシサーバ３６によって情報送信要求が受信されると、情報送信要求は、プロキシサーバ３６から広帯域通信ネットワークＮ１を介して情報配信サーバ３２に送信される。
【００４４】
情報配信サーバ３２によって情報配信要求が受信されると、当該情報配信要求に応じた情報が、情報配信サーバ３２から広帯域通信ネットワークＮ１を介してプロキシサーバ３６に送信され、プロキシサーバ３６に設けられたバッファ３８に一時的に格納される。
【００４５】
その後、プロキシサーバ３６のバッファ３８に格納された情報が読み出され、狭帯域通信ネットワークＮ１を介して移動機３４に送信される。
【００４６】
ここで、情報配信サーバ３２からプロキシサーバ３６に対して情報が送信されるにあたり、プロキシサーバ３６のバッファ３８が一杯になった場合、プロキシサーバ３６の受信処理負荷が過大になった場合、広帯域通信ネットワークＮ１に輻輳が生じた場合などは、情報配信サーバ３２とプロキシサーバ３６との間でフロー制御が行われ、情報の送信速度が制御される。また、情報配信サーバ３２からプロキシサーバ３６に対して情報が送信されるにあたり、情報配信サーバ３２とプロキシサーバ３６との間の広帯域通信ネットワークＮ１においてパケット欠損が生じた場合は、情報配信サーバ３２とプロキシサーバ３６との間で欠損パケットの再送制御が行われる。
【００４７】
同様に、プロキシサーバ３６から移動機３４に対して情報が送信されるにあたり、移動機３４のバッファ（図示せず）が一杯になった場合、移動機３４の受信処理負荷が過大になった場合、狭帯域通信ネットワークＮ２に輻輳が生じた場合などは、プロキシサーバ３６と移動機３４との間でフロー制御が行われ、情報の送信速度が制御される。また、プロキシサーバ３６から移動機３４に対して情報が送信されるにあたり、プロキシサーバ３６と移動機３４との間の狭帯域通信ネットワークＮ２においてパケット欠損が生じた場合は、プロキシサーバ３６と移動機３４との間で欠損パケットの再送制御が行われる。
【００４８】
続いて、本実施形態にかかる情報送信システムの作用及び効果について説明する。本実施形態にかかる情報送信システム３０は、情報配信サーバ３２から送信された情報を一時的に格納するバッファ３８をプロキシサーバ３６に設け、情報配信サーバ３２からプロキシサーバ３６に対して情報を送信する際のフロー制御及び再送制御と、プロキシサーバ３６から移動機３４に対して情報を送信する際のフロー制御及び再送制御とを別々に行う。従って、通信帯域が互いに異なる２つの通信ネットワーク（広帯域通信ネットワークＮ１と狭帯域通信ネットワークＮ２）を介して接続される情報配信サーバ３２と移動機３４との間でフロー制御及び再送制御を行う必要が無くなる。すなわち、必要に応じて、情報配信サーバ３２とプロキシサーバ３６との間、プロキシサーバ３６と移動機３４との間でフロー制御及び再送制御を行うことができ、ネットワークリソースを有効に利用することができる。その結果、広帯域通信ネットワークＮ１と狭帯域通信ネットワークＮ２との双方を介して情報を送信する場合に効率の良い情報送信が可能となる。
【００４９】
なお、上記第１の実施形態にかかる情報送信システム１０においてはタイムアウトによって通信路を切断し（以下、機能１という）、上記第２の実施形態にかかる情報送信システム３０においてはプロキシサーバ３６にバッファを設け、情報配信サーバ３２とプロキシサーバ３６との間、プロキシサーバ３６と移動機３４との間でそれぞれ別々にフロー制御及び再送制御を行っていた（以下、機能２という）が、本発明の情報送信システムは、上記機能１と上記機能２とを併せ持った構成としても良い。
【００５０】
【発明の効果】
本発明のサーバは、情報の送信開始からの時間を計時し、計時された時間が基準時間を越えても情報の送信が終了しない場合に情報の送信を終了して端末装置とのあいだに張られた通信路を切断する。従って、サーバにいつまでも再送制御やフロー制御の負担を負わせておくことを防止でき、サーバの負荷を軽減することができる。その結果、広帯域通信ネットワークと狭帯域通信ネットワークとの双方を介して情報を送信する場合に効率の良い情報送信が可能となる。
【００５１】
また、本発明のサーバは、端末装置に対する情報の送信中において送信が一時的に中断してからの時間を計時し、計時された時間が基準時間を越えても情報の送信が再開されない場合に情報の送信を終了して端末装置とのあいだに張られた通信路を切断する。従って、サーバにいつまでも再送制御やフロー制御の負担を負わせておくことを防止でき、サーバの負荷を軽減することができる。その結果、広帯域通信ネットワークと狭帯域通信ネットワークとの双方を介して情報を送信する場合に効率の良い情報送信が可能となる。
【００５２】
また、本発明の情報送信システムは、サーバから送信された情報を一時的に格納する格納手段を中継装置に設け、サーバから中継装置に対して情報を送信する際のフロー制御及び再送制御と、中継装置から端末装置に対して情報を送信する際のフロー制御及び再送制御とを別々に行う。従って、常にサーバと端末装置との間でフロー制御及び再送制御を行う必要が無くなる。すなわち、必要に応じて、サーバと中継装置との間、中継装置と端末装置との間でフロー制御及び再送制御を行うことができ、ネットワークリソースを有効に利用することができる。その結果、広帯域通信ネットワークと狭帯域通信ネットワークとの双方を介して情報を送信する場合に効率の良い情報送信が可能となる。
【図面の簡単な説明】
【図１】本発明の第１の実施形態にかかる情報送信システムの構成図である。
【図２】本発明の第２の実施形態にかかる情報送信システムの構成図である。
【図３】従来技術にかかる情報送信システムの構成図である。
【符号の説明】
１，１０，３０…情報送信システム、２，１２，３２…情報配信サーバ、４，１４，３４…移動機、６，１６，３６…プロキシサーバ、１８…タイマ、２０…切断制御部、３８…バッファ、Ｎ１…広帯域通信ネットワーク、Ｎ２…狭帯域通信ネットワーク
【図１】
2005033367.tif 000003
【図２】
2005033367.tif 000004
【図３】
2005033367.tif 000005